(57)【要約】  本発明は、液体（３）を収容する少なくとも１つのキャビティ（２）を備えた包装材（１）、特にブリスタ包装材に関する。包装材（１）は、液体のための毛管停止部（７）を有し、この毛管停止部（７）は、キャビティ（２）を包囲している。
2013542146.tif 000002
【特許請求の範囲】
【請求項１】
液体（３）を収容する少なくとも１つのキャビティ（２）を備えた包装材（１）、特にブリスタ包装材であって、
前記包装材（１）は、支持体（４）及びカバー（５）を有し、前記キャビティ（２）は、前記支持体（４）と前記カバー（５）との間に形成されており、前記支持体（４）と前記カバー（５）は、前記キャビティ（２）を包囲した連結領域（６）において互いに連結されており又は連結可能である包装材において、
前記包装材（１）は、前記液体（３）のための毛管停止部（７）を有し、前記毛管停止部（７）は、前記キャビティ（２）と前記連結領域（６）との間又は前記連結領域（６）内に配置されている、
ことを特徴とする包装材。
【請求項２】
前記毛管停止部（７）は、前記キャビティ（２）を円周方向に環状に、且つ／或いは同心状に包囲している、
請求項１記載の包装材。
【請求項３】
前記毛管停止部（７）は、前記支持体（４）及び／又は前記カバー（５）に設けられた窪み（８）によって形成されている、
請求項１又は２記載の包装材。
【請求項４】
前記窪み（８）は、溝、チャネル及び／又はリングとして具体化されている、
請求項３記載の包装材。
【請求項５】
前記窪み（８）は、少なくとも０．３ｍｍ、特に実質的に０．５ｍｍ以上の深さ及び又は少なくとも１ｍｍ、特に実質的に２ｍｍ以上の幅を有する、
請求項３又は４記載の包装材。
【請求項６】
前記キャビティ（２）に側方に隣接して位置する環状領域（９）が前記毛管停止部（７）と前記キャビティ（２）との間に配置され又は形成されている、
請求項１ないし５のいずれか１項に記載の包装材。
【請求項７】
前記連結領域（６）及び前記環状領域（９）は、少なくとも実質的に一平面（１０）内に配置されている、
請求項６記載の包装材。
【請求項８】
前記連結領域（６）及び前記毛管停止部（７）は、少なくとも実質的に一平面（１０）内に配置されている、
請求項１ないし７のいずれか１項に記載の包装材。
【請求項９】
前記連結領域（６）は、少なくとも実質的に平面状形態のものである、
請求項１ないし８のいずれか１項に記載の包装材。
【請求項１０】
前記支持体（４）と前記カバー（５）は、前記連結領域（６）において少なくとも実質的に流体密状態に、ガス密状態に、連続して、環状に且つ／或いは円周方向に互いに連結されており又は連結可能である、
請求項１ないし９のいずれか１項に記載の包装材。
【請求項１１】
前記支持体（４）と前記カバー（５）は、前記連結領域（６）において接着、ヒートシール又は溶接によって互いに連結されており又は連結可能である、
請求項１ないし１０のいずれか１項に記載の包装材。
【請求項１２】
前記支持体（４）は、前記キャビティ（２）及び／又は毛管停止部（７）を形成するよう部分的に深絞りされると共に／或いは熱成形されている、
請求項１ないし１１のいずれか１項に記載の包装材。
【請求項１３】
前記支持体（４）は、プラスチック、フィルム及び／又は複合材料で作られている、
請求項１ないし１２のいずれか１項に記載の包装材。
【請求項１４】
前記カバー（５）は、少なくとも実質的に扁平であると共に／或いは滑らかであるよう具体化されている、
請求項１ないし１３のいずれか１項に記載の包装材。
【請求項１５】
前記カバー（５）は、プラスチック、フィルム及び／又は複合材料で作られている、
請求項１ないし１４のいずれか１項に記載の包装材。
【発明の詳細な説明】
【技術分野】
【０００１】
本発明は、請求項１の前提部に記載された液体を収容する少なくとも１つのキャビティを備えた包装材、特にブリスタ包装材に関する。
【０００２】
本発明は、包装材、特にブリスタ包装材への液体の導入に関する。液体は、包装材内のキャビティ中に導入される。キャビティは、特に、ブリスタによって形成されている。したがって、以下の説明は、液体を収容するブリスタパック又はブリスタに関するが、本発明は、これには限定されず、好ましくは他の液体包装材にも利用できる。
【背景技術】
【０００３】
１つ又は２つ以上のキャビティに物質、固形物体又は液体を充填することは、例えば、いわゆる可視包装材又はブリスタパックの分野から知られている。ブリスタパックは、種々の部門及び産業分野で用いられており、キャビティ内に詰め込まれるべき内容物が導入される少なくとも１つのキャビティを備える。一般に、キャビティの内容物は、外から視認できる。しかしながら、ブリスタパックは、この中に入っている内容物又は液体を気密又は隠した状態で覆い又は封入する場合がある。
【０００４】
典型的なブリスタパックは、通常、異種又は同種の材料の数個の層で構成される場合のある２枚のフィルムから成っている。フィルムは、一般に、プラスチック及び／又は金属、例えばアルミニウムで作られ、他の材料、例えば紙等も理論的には使用でき又は追加的に用いられる。２枚のフィルムは、特に、ベース層又はベースフィルム（支持体）及びカバー層又はカバーフィルム（カバー）である。
【０００５】
ベースフィルム又は支持体には、液体、特に調合薬が導入される１つ又は２つ以上の液体収容ウェル又は窪みが設けられる場合がある。この場合、カバーフィルム又はカバーは、ベースフィルム又は支持体上に配置されてこれに固定され又は取り付けられ、これは、例えば、エッジ又は連結領域で、特に平坦な関係をなして当接する表面領域で、好ましくは接着剤、ヒートシール、溶接等によって行われる。
【０００６】
独国特許出願公開第１０３４３６６８（Ａ１）号明細書は、薬剤用の特に漏れ止めブリスタパックを開示しているが、ブリスタパックの充填について詳細には説明されていない。
【０００７】
独国実用新案第２０２００７００３０５０（Ｕ１）号明細書は、液体有効物質用のブリスタパックを開示している。この場合、有効物質は、拡散によって環境中に放出されると考えられる。しかしながら、これは、正確に言えば、本発明の包装材が阻止しようとすることがらである。
【０００８】
本発明は、特に、包装材、特にブリスタ包装材のキャビティの液体による完全充填に関する。特に好ましくは、本発明は、ガス又は気泡なしの充填を可能にし、又は支援することにある。この種の完全充填は、例えば、ブリスタパックが医用カートリッジ又は装置（例えば、いわゆるバイオセンサ）に取り付けられる場合に必要であり、特に１種類又は複数種類の試薬の入ったブリスタパックのキャビティ中に導入される液体は、カートリッジ内における或る特定の分析反応を開始させ又は可能にすると考えられる。この場合、カートリッジは、通常、マイクロフルイディックシステムを有する。液体により実施されるべき分析反応が誤ったものにならないよう又は影響を受けないようにするために、液体をキャビティの開放後ガス又は気泡なしでカートリッジに移すことが必要な場合もある。これは、とりわけ、ブリスタパックのキャビティそれ自体が液体で完全に、即ち、ガス又は気泡なしで充填されることをあらかじめ想定している。しかしながら、液体によるキャビティ又はブリスタの完全充填は、他の理由についても、例えば、貯蔵の容易さ、空気圧力の変化に対する抵抗等にとっても望ましく又は必要な場合がある。
【先行技術文献】
【特許文献】
【０００９】
【特許文献１】独国特許出願公開第１０３４３６６８（Ａ１）号明細書
【特許文献２】独国実用新案第２０２００７００３０５０（Ｕ１）号明細書
【００１０】
本発明は、液体によるキャビティ、特にブリスタの完全充填及び／又はキャビティの漏れ止め封止を支援し又は可能にする、液体を収容するキャビティを備えた包装材、特にブリスタ包装材を提供することを課題としている。
【００１１】
上述の課題は、請求項１記載の包装材によって解決される。有利な別の特徴は、従属形式の請求項の内容である。
【００１２】
包装材は、液体のための毛管停止部を有するべきことが提案される。毛管停止部は、キャビティと連結領域との間又は一方においてベースフィルム又は支持体及び他方においてカバーフィルム又はカバーが互いに連結されており又は連結可能な連結領域内に配置される。毛管停止部は、支持体とカバーとの間のキャビティからの液体の流出若しくは拡散又は特に支持体及びカバーの平坦に当接する表面領域内における液体の膜の形成を阻止し又は少なくとも制限し又は減少させるのに役立つ。
【００１３】
支持体又は支持体に設けられていて、キャビティを形成する窪みに液体を充填した後、窪みは、通常、カバー又はカバーフィルムで当初（ルーズに）覆われ、次に、カバーは、支持体に特に平坦に当接する表面領域又は連結領域において連結される。試験結果の示すところによれば、液体は、特に毛管力によって当接表面領域においてカバーと支持体との間の隙間中に流れ又は拡散することができ、確かに、意図した連結領域中に又はこれを越えて流れる場合がある。その結果、カバー及び支持体は、従来型包装材の連結領域において良好には（十分に良好には）又は全く連結されない場合がある。毛管停止部により、液体は、連結領域内に流れる（前へ流れる）のが阻止されるようになる。
【００１４】
したがって、提案対象の解決手段又は毛管停止部は、連結領域又は毛管停止部に隣接して位置する外側の連結領域におけるカバーと支持体の確実且つ漏れ止め状態の連結を助ける。その結果、提案対象の解決手段又は毛管停止部は、液体による包装材又はキャビティの完全充填を助ける。また、事実、毛管停止部により、充填後、液体は、特に、包装材又はキャビティ又はブリスタを最終的に封止する前において、カバー及び支持体の当接表面領域の毛管作用の結果として、キャビティから望ましくない仕方で流出することができないようになる。
【００１５】
「毛管停止部」という用語は、一般に、特に、本発明によれば、毛管力による液体の前方流れを阻止する手段であることを意味している。好ましくは、毛管停止部は、特に液体が流通する断面の急な拡大部によって形成される。特に好ましくは、毛管停止部は、この目的のため、支持体及び／又はカバーに設けられた窪みによって形成される。窪みは、特に、溝、チャネル及び／又はリングの形態をしている。これにより、特にブリスタ包装材に従来まさに利用されている工具、機械及び／又はプロセスを用いて製作が容易になる。
【００１６】
毛管停止部は、好ましくは、キャビティを円周方向に且つ／或いは同心状に包囲する。これにより、簡単且つ／或いはコンパクトな設計が可能になると共に／或いはキャビティから外方に隣接して位置する領域中への液体の望ましくない侵入が阻止される。
【００１７】
本発明の別の利点、別の特徴、別の特性及び別の観点は、特許請求の範囲の記載及び図面を参照して行われる以下の好ましい実施形態の説明から明らかになろう。
【図面の簡単な説明】
【００１８】
【図１】先行技術の包装材の概略断面図である。
【図２】提案対象の包装材の概略断面図である。
【発明を実施するための形態】
【００１９】
図中、同一の参照符号は、同一又は類似の部分に用いられており、対応の又は同等の特性及び利点は、関連の説明が繰り返されない場合であっても得られる。
【００２０】
図１は、液体３を収容する少なくとも１つのキャビティ２を備えた基本的に先行技術から知られている包装材１を概略断面で示している。
【００２１】
包装材１は、液体３を好ましくは少なくとも実質的に流体密状態で且つ／或いはガス密状態で封入する。
【００２２】
包装材１は、特にブリスタパックとして具体化される。キャビティ２は、特に、包装材１のブリスタ又はブリスタパックによって形成される。
【００２３】
液体３は、特に、特に好ましくは、分析物又は値を求めると共に／或いは特に好ましくは生物学的サンプル等を検査するマイクロフルイディックシステムに用いられる検査液、洗浄液、反応液、溶剤等である。
【００２４】
包装材１は、支持体４及び関連のカバー５を有している。
【００２５】
支持体４は、特に、少なくとも実質的に扁平な又は平板状要素及び／又は扁平な材料及び／又はベース層又はベースフィルム等である。
【００２６】
支持体４は、少なくとも幾つかの領域が比較的硬質又は軟質であると共に／或いは変形可能であるのが良い。好ましくは、支持体４は、その主要方向又は広がり平面又は好ましくは扁平な包装材１の扁平な側部又は主広がり平面Ｅが比較的高い剛性又は強度を有する。
【００２７】
図示の実施形態では、支持体４は、好ましくは、構造がカバー５よりも硬質であり又は剛性であると共に／或いは包装材１の変形度を少なくとも実質的に又は主として定めるほど十分硬質である。
【００２８】
カバー５は、好ましくは、特に好ましくは関連の支持体４を平坦な関係をなして覆うための少なくとも実質的に扁平な又は平板状であり且つ／或いは滑らかな要素又は扁平な材料及び／又はカバー層又はカバーフィルムである。
【００２９】
好ましくは、支持体４及び／又はカバー５は、フィルムとして具体化されると共に／或いはフィルム、プラスチック、金属及び／又は特にプラスチック及び／又は金属を含む複合材料で作られる。
【００３０】
支持体４及びカバー５は、理論的には、同種の材料で作られるのが良い。しかしながら、図示の実施形態では、支持体４及びカバー５は、好ましくは、異種材料で作られる。
【００３１】
カバー５は、好ましくは、可撓性且つ／或いは変形可能な構造のものであり、特に、例えば、特に好ましくは液体３を取り出し又は小出しするために引き裂いて開き、押し込み、穴あけ等をすることによって開放可能である。代替的に又は追加的に、支持体４は、対応の仕方で開放可能であっても良い。
【００３２】
液体３を収容する少なくとも１つのキャビティ２が支持体４とカバー５との間に形成されている。特に好ましくは、多数のキャビティ２が形成される。
【００３３】
特に、包装材１又は支持体４及び／又はカバー５は、特に好ましくは、連続材料のストリップ等から成る。この場合、連続材料は、液体３の導入前又は好ましくは導入後に必要に応じて各々が液体３を収容する少なくとも１つのキャビティ２を有する個々のパッケージ１に分割され又は分離されるのが良い。以下の説明は、連続材料又は包装材１がオプションとして互いに異なるサイズのものであると共に／或いは互いに異なる液体３を収容する数個のかかるキャビティ２を有する場合があるとしても、１つのキャビティ２の好ましい構成のみについての詳述である。
【００３４】
キャビティ２を形成するため、窪み又は凹部は、それぞれ、好ましくは、支持体４及び／又はカバー５、好ましくは、図示の実施形態では図１に示されているように支持体４にのみ形成される。窪み又は凹部は、特に、ウェルの形態をしている。窪み又は凹部は、特に、支持体４のこの場合、熱成形及び／又は深絞りによって作られる。
【００３５】
図示の実施形態によれば支持体４に設けられた窪み又は凹部又はキャビティ２中への液体３の部分導入後、包装材１又はキャビティ２閉鎖し又は封止する。これを行うため、カバー５を連結領域６において支持体４の頂部に載せ、そして少なくとも部分的にこれに取り付ける。連結領域６は、特に、支持体４及びカバー５の平坦な関係をなして当接する表面領域の付近に形成される。連結領域６は、キャビティ２に特に側方に且つ／或いは円周方向に隣接して位置する。例えば、連結領域は、キャビティ２を環状形態で包囲するのが良い。
【００３６】
連結領域６又は複数のキャビティの場合、複数の連結領域６は、好ましくは、平面Ｅ及び／又は主広がり平面Ｅ内に且つ／或いは包装材１、支持体４及び／又はカバー５の平坦な側部上に設けられる。特に、連結領域６は、問題のキャビティ２を円周方向及び／又は環状に包囲する。
【００３７】
支持体４とカバー５の連結は、好ましくは、ヒートシール、溶接、接着及び／又は他の何らかの適当な方法によって行われる。
【００３８】
支持体４とカバー５は、少なくとも実質的に流体密状態に、特に少なくとも実質的にガス密状態の連続的な環状の且つ／或いは円周方向の仕方で互いに連結され又は連結可能である。
【００３９】
図１は、液体３の導入後において、カバー５が支持体４上に既にルーズに配置されている包装材１を極めて概略的に且つ非現実的に示している。図１は、例えばキャビティ２が液体３で充填されているときに液体３が特にキャビティ２から連結領域６内に入り込むことができると共に／或いは連結領域６内に留まることができるということを概略的に示している。連結領域６内に延びると共に／或いは連結領域６を少なくとも部分的に覆う液体のこの膜は、連結領域６内における支持体４とカバー５の確実且つ／或いは漏れ止め状態の連結又はキャビティ２の気密封止を妨げることができ又はそれどころか阻止することができる。特に、液体の望ましくない緩衝作用が連結領域６内に又は支持体４とカバー５との間に生じる場合がある。試験結果の示すところによれば、この種の包装材１では、液体の相当な損失が特に包装材１の充填及び封止後又は包装材を貯蔵状態に置いた後、最初の数日で起こる場合が多い。これは、液体３が連結平面又は連結領域６内に封入され、付着力の減少の結果として、液体３が経時的に拡散し又は逃げ出る場合があるということによって説明できる。
【００４０】
図２は、提案している停止構造体を備えた包装材１を図１に対応した概略断面で示している。包装材１は、特に、液体３を連結平面又は連結領域６内に捕捉し又は停止させ又は妨げるための構造体の形成という点においてのみ図１に記載されると共にこれを参照して説明した包装材とは異なっている。この構造体は、特に好ましくは、図示の実施形態では毛管停止部７によって形成される。しかしながら、理論的には、他の構造体も又使用できる。
【００４１】
「毛管停止部」という用語は、好ましくは、本発明の概要説明と関連して上述した意味において理解されるべきである。しかしながら、「毛管停止部」という用語は、好ましくは、液体３を停止させ又は少なくとも留めるための別の構造体としても理解されるべきである。これは、特に、変形及び／又は幾何学的付形によって得られる構造体である。
毛管停止部７は、液体３又は液体の膜が連結領域６内に流れ又は移動する（一段と）ことができるのを阻止する。
【００４２】
毛管停止部７は、特に、包装材１又はキャビティ２、即ち、図示の実施形態ではキャビティ２により形成されたブリスタの閉鎖中、液体３が閉鎖段階中又は毛管停止部７を越えて外側領域又は連結領域６内に移動してここに形成されている支持体４とカバー５の付着及び／又は一様な又は漏れ止め状態の連結に悪影響を及ぼすのを阻止する。さらに、周囲環境の汚染が液体３を逃がさないように停止させることによって阻止され又は少なくとも最小限に抑えられる。さらに、キャビティ２内への空気又はガスの混入が減少し又は理想的には全く阻止される。
【００４３】
毛管停止部７は、特に支持体４及び／又はカバー５、図示の実施形態では支持体４に設けられた凹部８によって形成される。特に好ましくは、キャビティ２のような窪み８が深絞り及び／又は熱成形により作られる。
【００４４】
毛管停止部７又は窪み８は、キャビティ２を好ましくは円周方向に、環状に且つ／或いは同心状に包囲する。
【００４５】
毛管停止部７又は窪み８は、好ましくは、溝、チャネル及び／又はリングとして具体化される。
【００４６】
毛管停止部７又は窪み８は、好ましくは、少なくとも０．３ｍｍ、特に実質的に０．５ｍｍ以上の深さ及び／又は少なくとも１ｍｍ、特に実質的に２ｍｍ以上の幅を有する。
【００４７】
毛管停止部７は、好ましくは、連結領域６とキャビティ２との間に配置される。しかしながら、変形例として、毛管停止部７は、連結領域６内に配置されても良い。
【００４８】
毛管停止部７は、好ましくは、包装材１の連結平面１０内又は支持体４の平坦な側部内若しくは平坦な側部上に配置される。
【００４９】
毛管停止部７は、好ましくは、支持体４及びカバー５の平坦に当接した表面領域の付近に配置される。毛管停止部７とキャビティとの間には、好ましくは、キャビティ２に側方に隣接して位置する環状領域９が配置され又は形成される。毛管停止部７は、好ましくは、キャビティ２から全ての側に関して一様に且つ／或いは半径方向に間隔を置いて位置する。
【００５０】
好ましくは、連結領域６、毛管停止部７及び／又は環状領域９は、少なくとも実質的に包装材１の平面内又は主広がり平面１０内に配置される。
【００５１】
キャビティ２からの毛管停止部７の離隔距離又は環状領域６の幅は、好ましくは、少なくとも１ｍｍ、特に実質的に２ｍｍ以上である。
【００５２】
所望ならば、複数の毛管停止部７が互いに前後に且つ／或いは同心状に配置されても良い。
【００５３】
閉鎖状態では、カバー５は、毛管停止部７かその窪み８かのいずれかを滑らかに又は平面状に覆うことができると共に／或いは毛管停止部７又はその窪み８内に変形可能である。
【００５４】
図示の実施形態では、毛管停止部７は、連結領域６内に配置される（半径方向に配置される）。
【００５５】
図示の実施形態では、連結領域６は、好ましくは、毛管停止部７に半径方向に又は外側にすぐ隣接して位置する。しかしながら、連結領域６は、毛管停止部７から間隔を置いたところに配置されても良く、或いはその逆の関係が成り立つ。
【００５６】
変形例として、毛管停止部７は、連結領域６内に配置されても良い。この場合、毛管停止部７により、少なくとも、キャビティから見て遠くに位置する毛管停止部７の側に位置する連結領域６の領域では、特に液体の膜又は液体の緩衝作用又は液体３の発生がこの場合阻止され又は少なくとも最小限に抑えられるので、良好な連結を可能にすることができるようになる。
【符号の説明】
【００５７】
１  包装材
２  キャビティ
３  液体
４  支持体
５  カバー
６  連結領域
７  毛管停止部
８  窪み
９  環状領域
１０  平面
【図１】
2013542146.tif 000003
【図２】
2013542146.tif 000004
【国際調査報告】
2013542146.tif 000005
2013542146.tif 000006
2013542146.tif 000007
2013542146.tif 000008